(57)【要約】【課題】高圧水の噴射により剥離したアスベスト含有表層部の剥離物と噴射した水とからなる混濁水を濾過材で濾過してできた一次濾過水を該一次濾過水から更に微細な剥離物を多量に除去した後、濾過フィルターへ送給する。しかも送給されなかった一次濾過水中の剥離物の処理作業を極めて簡単に殆ど手間をかけずに行う。【解決手段】剥離物Ａと噴射水とからなる混濁水Ｗ１を水処理装置３へ引き取って濾過すると共に中和して排出する。水処理装置３は、濾過槽５と、濾過槽５の内部を負圧にする減圧装置６と、混濁水Ｗ１を剥離装置２から、濾過槽５に収容した濾過材４の内側へ導く回収用管路７と、一次濾過水Ｗ２を溜める凝集槽８と、一次濾過水Ｗ２を凝集槽８へ送給する一次濾過水送給部９と、凝集槽８の底部に沈殿した剥離物Ａを一次濾過水Ｗ２と一緒に濾過材４の内側へ導く帰還管路１０と、帰還管路１０の遮断部１１とを備える。【選択図】図１
2019171306.tif 000002
【特許請求の範囲】
【請求項１】
高圧水供給装置より供給される高圧水を剥離装置から構造物のアスベスト含有表層部に噴射することにより該アスベスト含有表層部を前記構造物から剥離し、その剥離物と前記噴射された水とからなる混濁水を前記剥離装置から水処理装置へ引き取って濾過すると共に中和して排出する、構造物のアスベスト含有表層部除去システムにおいて、
前記水処理装置は、
前記混濁水を濾過するための濾過材を搬出可能に収容する濾過槽と、
前記濾過槽の内部を負圧にする減圧装置と、
前記混濁水を前記剥離装置から、前記濾過槽に収容した前記濾過材の内側へ導く回収用管路と、
前記濾過材から滲出した一次濾過水を溜めると共に該一次濾過水に含まれる前記剥離物を凝集させるための凝集槽と、
前記一次濾過水を前記濾過槽から凝集槽へ送給する一次濾過水送給部と、
前記凝集槽の底部に沈殿した前記剥離物を前記一次濾過水と一緒に前記濾過槽に収容した前記濾過材の内側へ導く帰還管路と、
前記帰還管路を遮断することができる遮断部と、
を備えることを特徴とする構造物のアスベスト含有表層部除去システム。
【請求項２】
請求項１に記載の構造物のアスベスト含有表層部除去システムにおいて、
前記凝集槽は独立した複数の槽を有しており、
前記一次濾過水送給部は、前記一次濾過水を前記複数の槽へ選択的に送給することができ、
前記帰還管路は前記槽に夫々接続しており、
前記遮断部は前記槽毎に前記帰還管路を遮断可能である
ことを特徴とするアスベスト含有表層部除去システム。
【請求項３】
請求項１又は請求項２に記載の構造物のアスベスト含有表層部除去システムにおいて、更に、
前記凝集槽で生ずる、前記一次濾過水の上澄みを溜めるための上澄み貯留槽と、
前記一次濾過水の上澄みを、前記凝集槽の深さの異なる複数箇所から前記上澄み貯留槽に導く上澄み導入管路と、
前記凝集槽の深さの異なる複数箇所で前記上澄み導入管路を遮断可能な上澄み導入管路遮断部と、
を備えることを特徴とするアスベスト含有表層部除去システム。
【請求項４】
請求項１〜３のいずれか一に記載の構造物のアスベスト含有表層部除去システムにおいて、更に、
前記上澄みを更に濾過する濾過フィルター装置と、
前記上澄み貯留槽から前記濾過フィルター装置に前記上澄みを送給する上澄み送給部と、
前記濾過フィルター装置によって濾過された二次濾過水を、その液性が中性になるように中和する中和処理装置と、
を備えることを特徴とするアスベスト含有表層部除去システム。
【発明の詳細な説明】
【技術分野】
【０００１】
本発明は、例えばコンクリート製の構造物からアスベストを含有した塗膜を除去する、構造物のアスベスト含有表層部除去システムに関する。
【背景技術】
【０００２】
アスベストは、耐熱性、吸音性、保温性等に優れ、かつては建築や土木によるコンクリート製の構造物の表面に塗装されていた。しかし近年、アスベストは発癌性物質といわれており、アスベスト吸引による疾病患者が多く見られるようになった。現在、飛散しやすい状態で使用されているアスベストについては、一般環境から適切に隔離処理する必要がある。
【０００３】
従来、構造物からアスベストを含有した塗膜を、飛散しないように隔離して除去するシステムとしては、例えば下記特許文献１に開示されているように、高圧水供給装置から供給される高圧水を剥離装置から構造物のアスベスト含有表層部に噴射することにより該アスベスト含有表層部を前記構造物から剥離し、その剥離物と前記噴射された水とからなる混濁水を、減圧装置により内部を負圧状態にした濾過槽に引き取って合成繊維製の袋状の濾過材により濾過し、その濾過から滲出した一次濾過水を排出装置で濾過フィルターに送り、その濾過フィルターにより更に微細な不純物を除去し、その水をタンクに導き、その水をタンク内で中和装置により環境基準に適合する水に変化させた後、排出するものがある。
【先行技術文献】
【特許文献】
【０００４】
【特許文献１】特開２０１７−１４４３８４号公報
【発明の概要】
【発明が解決しようとする課題】
【０００５】
ところが、前述のシステムでは、一次濾過水を排出装置で直接的に濾過フィルターに送るため、濾過フィルターが詰まり易く、頻繁に濾過フィルターを交換する必要が生じる。そして濾過フィルターの交換作業に手間を要し、濾過フィルターの消耗量も多くなり、混濁水を処理する能率を大きく低下させると共に、濾過フィルターの交換費用が嵩むという問題を生じる。
【０００６】
この原因は、混濁水を濾過槽内の合成繊維製の袋状の濾過材により濾過すると、構造物から剥離したアスベスト含有塗膜、コンクリート粒等からなる剥離物のうち比較的粒の大きいものは、合成繊維製の袋状の濾過材に収容されるが、濾過材から滲出した一次濾過水は、更に微細な剥離物を多量に含んでいるからである。
【０００７】
そこで、一次濾過水中の微細な剥離物を極力多く除去した後、その水を濾過フィルターに供給するようにすればよく、そのために濾過槽で濾過された水を貯めて凝集させる凝集槽を設けるとよい。しかし、凝集槽を設けて更に微細な剥離物を凝集槽内で凝集させるようにしたとしても、結局、凝集した剥離物を凝集槽から取り出して処理することが必要になるので、剥離物の凝集槽での処理作業にも多くの手間がかり、混濁水処理の能率を低下させる原因になる。
【０００８】
本発明は、従来のこのような問題点に鑑みてなされたものである。本発明の主な目的は、高圧水の噴射により構造物から剥離したアスベスト含有表層部の剥離物と噴射された水とからなる混濁水を濾過材で濾過し、その濾過材から滲出した一次濾過水から更に微細な剥離物を能率的に多量に除去して濾過フィルター装置へ送給できるようにし、しかも、濾過フィルター装置へ送給されずに残った一次濾過水中の剥離物の処理作業を、極めて簡単に殆ど手間をかけずに行うことができるようにすることにある。
【課題を解決するための手段及び発明の効果】
【０００９】
本発明の第１の側面に係るシステムによれば、高圧水供給装置より供給される高圧水を剥離装置から構造物のアスベスト含有表層部に噴射することにより該アスベスト含有表層部を前記構造物から剥離し、その剥離物と前記噴射された水とからなる混濁水を前記剥離装置から水処理装置へ引き取って濾過すると共に中和して排出する、構造物のアスベスト含有表層部除去システムにおいて、前記水処理装置は、前記混濁水を濾過するための濾過材を搬出可能に収容する濾過槽と、前記濾過槽の内部を負圧にする減圧装置と、前記混濁水を前記剥離装置から、前記濾過槽に収容した前記濾過材の内側へ導く回収用管路と、前記濾過材から滲出した一次濾過水を溜めると共に該一次濾過水に含まれる前記剥離物を凝集させるための凝集槽と、前記一次濾過水を前記濾過槽から凝集槽へ送給する一次濾過水送給部と、前記凝集槽の底部に沈殿した前記剥離物を前記一次濾過水と一緒に前記濾過槽に収容した前記濾過材の内側へ導く帰還管路と、前記帰還管路を遮断することができる遮断部と、を備えるように構成することができる。
【００１０】
前記構成により、凝集槽において、濾過フィルター装置の目詰まりの原因となる一次濾過水に含む微細な剥離物を凝集沈降させて多量に除去することができる。しかも、凝集槽で凝集して底部に沈殿している剥離物は、帰還管路を通じて一次濾過水と一緒に濾過槽内の濾過材の内側へ帰還し、再び濾過材によって濾過される。そのため、凝集槽に沈殿した剥離物の除去は、帰還管路の遮断部を操作するだけの極めて簡単な作業により行うことができ、水処理装置において濾過後に残る剥離物の搬出作業は濾過槽のみで行えばよくなる。したがって、本発明によれば、一次濾過水から微細な剥離物を能率的に多量に除去して濾過フィルター装置へ送給することで、濾過フィルター装置の寿命を大幅に延ばすことができ、濾過フィルター装置の交換頻度を大幅に低減することができる。しかも、濾過フィルター装置へ送給されずに残った一次濾過水中の剥離物の処理作業を、極めて簡単に殆ど手間をかけずに行うことができる。
【００１１】
本発明の第２の側面に係るシステムによれば、前記凝集槽は独立した複数の槽を有しており、前記一次濾過水送給部は、前記一次濾過水を前記複数の槽へ選択的に送給することができ、前記帰還管路は前記槽に夫々接続しており、前記遮断部は前記槽毎に前記帰還管路を遮断可能であるように構成することができる。
【００１２】
前記構成により、凝集槽では、複数ある槽のうちの少なくとも一つの槽で一次濾過水中の剥離物の凝集を行いながら、他の槽に一次濾過水を供給して溜めたり、他の槽の底部に沈殿した剥離物を除去したりすることができるので、水と剥離物の分離を能率良く行うことができる。
【００１３】
本発明の第３の側面に係るシステムによれば、前記凝集槽で生ずる、前記一次濾過水の上澄みを溜めるための上澄み貯留槽と、前記一次濾過水の上澄みを、前記凝集槽の深さの異なる複数箇所から前記上澄み貯留槽に導く上澄み導入管路と、前記凝集槽の深さの異なる複数箇所で前記上澄み導入管路を遮断可能な上澄み導入管路遮断部と、を備えるように構成することができる。
【００１４】
前記構成によれば、構造物のアスベスト含有表層部の組成や状態の違いにより一次濾過水中の剥離物の凝集速度や沈降速度等に違いが生じ、その違いに起因して上澄みの採取可能な深さに違いが生じたとしても、それに応じて上澄み導入管路遮断部を操作することにより、凝集槽の適正な深さから上澄み貯留槽へ上澄み導入管路を通じて一次濾過水の上澄みを送給することができる。しかも上澄みを、重力を利用して送給するので、水中ポンプ等を用いる場合のように、その水中ポンプにより凝集槽内が撹拌され、それが凝集槽における剥離物の沈降に悪影響を及ぼすということもない。
【００１５】
本発明の第４の側面に係るシステムによれば、前記上澄みを更に濾過する濾過フィルター装置と、前記上澄み貯留槽から前記濾過フィルター装置に前記上澄みを送給する上澄み送給部と、前記濾過フィルター装置によって濾過された二次濾過水を、その液性が中性になるように中和する中和処理装置と、を備えるように構成することができる。
【００１６】
前記構成によれば、一次濾過水の上澄みにアスベスト等の微細な剥離物が残っていたとしても、その剥離物がフィルターにより確実に除去することができる。もしも一次濾過水の上澄みを直接的に中和処理装置に導入する場合、一次濾過水中に剥離物が一定量以上含まれていると、その剥離物が中和処理装置内の化学反応に悪影響を及ぼし、中和処理装置での効率的な中和処理を阻害することになるが、前記構成によれば、このような不具合の発生を防止することができる。
【図面の簡単な説明】
【００１７】
【図１】本発明の一実施例に係る構造物のアスベスト含有表層部除去システムの説明図である。
【図２】本発明の一実施例に係るアスベスト含有表層部除去システムにおける処理の手順を説明するためのフローチャートである。
【図３】本発明の他の実施例における高圧水供給部、剥離装置、及び濾過槽の説明図である。
【図４】本発明の他の実施例における凝集槽及び上澄み貯留槽の説明図である。
【発明を実施するための形態】
【００１８】
以下、本発明の実施の形態を図面に基づいて説明する。ただし、以下に示す実施の形態は、本発明の技術思想を具体化するための構造物のアスベスト含有表層部除去システムを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（アスベスト含有表層部除去システム）
【００１９】
図１に示す構造物のアスベスト含有表層部除去システムは、高圧水供給装置１から供給される高圧水を剥離装置２から構造物のアスベスト含有表層部に噴射することにより該アスベスト含有表層部を構造物から剥離し、その剥離物Ａと、噴射された水とからなる混濁水Ｗ１を剥離装置２から水処理装置３に引き取って濾過すると共に中和して処理水Ｗとして排出するものである。
（高圧水供給装置１）
【００２０】
高圧水供給装置１は、水道水を水源１ａとし、その水道水をポンプ１ｂにより所定の圧力に高めて高圧水とし、この高圧水を導管１ｃ、アンローダ弁からなる安全装置１ｄ及び可撓性を有する導管１ｅを経て剥離装置２に供給する。この実施例の場合、吐出圧力２４５メガパスカルの超高圧ポンプを使用している。
（剥離装置２）
【００２１】
剥離装置２は、高圧水の噴射部周辺を覆う覆い２ａを有し、噴射された高圧水や剥離物Ａが周辺へ飛散するのを抑制することができるように構成されており、この実施例では、例えば前記特許文献１に開示されているような公知のものである。
（水処理装置３）
【００２２】
水処理装置３は、混濁水Ｗ１を濾過すると共に、混濁水Ｗ１から漉し取った剥離物Ａの処理を能率的に行うことを可能にするために、混濁水Ｗ１を濾過するための濾過材４を搬出可能に収容する濾過槽５と、この濾過槽５の内部を負圧にする減圧装置６と、混濁水Ｗ１を剥離装置２から、濾過槽５に収容した濾過材４の内側へ導く回収用管路７と、濾過材４から滲出した一次濾過水Ｗ２を溜めると共に該一次濾過水Ｗ２に含む剥離物Ａを凝集させるための凝集槽８と、一次濾過水Ｗ２を濾過槽５から凝集槽８へ送給する一次濾過水送給部９と、凝集槽８の底部に沈殿した剥離物Ａを一次濾過水Ｗ２と一緒に濾過槽５に収容した濾過材４の内側へ導く帰還管路１０と、帰還管路１０を遮断することができる遮断部１１とを備える。
【００２３】
また、水処理装置３は、一次濾過水Ｗ２の凝集槽８で生じる上澄みＷ３を処理するために、上澄みＷ３を溜めるための上澄み貯留槽１２と、凝集槽８に溜まっている上澄みＷ３を、凝集槽８の深さの異なる複数箇所から上澄み貯留槽１２に個別に導く上澄み導入管路１３と、凝集槽８の深さの異なる複数箇所で上澄み導入管路１３を遮断可能な上澄み導入管路遮断部１４とを備える。
【００２４】
更に、水処理装置３は、上澄み貯留槽１２に溜まった上澄みＷ３から更に微細な剥離物Ａを除去するための濾過フィルター装置１５と、上澄み貯留槽１２から濾過フィルター装置１５に上澄みＷ３を送給する上澄み送給部１６と、濾過フィルター装置１５によって濾過された二次濾過水Ｗ４を、その液性が中性になるように中和する中和処理装置１７とを備える。
（濾過材４）
【００２５】
濾過材４は、混濁水Ｗ１から剥離物Ａを漉し取るためのもので、この実施例では、網目素材でできており、上面が開口した直方体状の袋に形成されている。また濾過槽からの搬出を容易にするために、図示しない吊り上げ用のベルトを有している。この濾過材４として、例えば網目の太さが０．２ミリメートルのフレキシブルコンテナバッグを用いることができる。
（濾過槽５）
【００２６】
濾過槽５は、その内部に濾過材４の支持部５ａを有している。支持部５ａは、濾過材４を支持することができ、濾過材４から滲み出た一次濾過水Ｗ２が濾過槽５の底部へ流れることができるように網目状部材でできている。また濾過槽５は、その内部に濾過材４を搬入したり、その内側に溜まった剥離物Ａと共に搬出したりすることができるようにするための開口５ｂと、開口５ｂを塞ぐための開閉蓋５ｃとを有している。開閉蓋５ｃを閉じると濾過槽５は密閉されるようになっている。
（減圧装置６）
【００２７】
減圧装置６は、濾過槽５内の空気を、図示しない真空ポンプにより導管６ａを経て吸い出すことにより、濾過槽５の内部を負圧状態にすることができる。この実施例では減圧装置として約５０キロパスカルの負圧を生じさせることができるものを用いている。
（回収用管路７）
【００２８】
回収用管路７は、剥離装置２に接続するホース７ａと、濾過槽５の開閉蓋５ｃに設けた、ホース７ａに接続する導管７ｂとからなり、導管７ｂはバルブ７ｃを有している。複数の剥離装置２を使用することができるように、開閉蓋５ｃには複数の導管７ｂが設けてあり、使用しない導管７ｂのバルブ７ｃは閉じておく。
（凝集槽８）
【００２９】
凝集槽８は、一次濾過水Ｗ２を溜めるための独立した複数の槽８ａを有しており、各槽８ａの下部は夫々漏斗状に形成されている。各槽８ａの容量はこの実施例では夫々１０００リットルである。
（一次濾過水送給部９）
【００３０】
一次濾過水送給部９は、ダイアフラム式のポンプ９ａと、このポンプ９ａの入力側と濾過槽５の下部とを接続する導管９ｂと、ポンプ９ａの出力側に一端を接続した導管９ｃと、夫々導管９ｃの他端に接続すると共に凝集槽８の槽８ａの上部に接続した各槽８ａ毎の導管９ｄと、各導管９ｄに設けたバルブ９ｅとからなり、各バルブ９ｅの開閉状態を変えることにより、一次濾過水Ｗ２を複数の槽８ａへ選択的に送給することができる。
（帰還管路１０）
【００３１】
帰還管路１０は、凝集槽８の槽８ａの下部に設けた槽８ａ毎の導管１０ａと、各導管１０ａに一端を接続すると共に、濾過槽５の開閉蓋５ｃに設けた導管１０ｂに他端を接続した導管１０ｃとからなる。
（遮断部１１）
【００３２】
遮断部１１は、槽８ａ毎の導管１０ａ、導管１０ａに夫々設けたバルブ１１ａからなる。槽８ａ毎のバルブ１１ａを開閉することにより、帰還管路１０は、各槽８ａに対して個々に導通したり導通を遮断したりすることができる。それゆえ凝集槽８の複数の槽８ａの中から所要の槽８ａを選択して、その槽８ａに対応するバルブ１１ａを開き、他の槽８ａに対応するバルブ１１ａを閉じることにより、帰還管路１０は、所要の槽８ａの底部に溜まった剥離物Ａを一次濾過水Ｗ２と共に濾過槽５へ導くことが可能になる。
（上澄み貯留槽１２）
【００３３】
上澄み貯留槽１２は、設置面積を小さくすると共に凝集槽８からの上澄みＷ３の導入経路を簡素化するために、上澄みＷ３を凝集槽８の槽８ａの側壁に沿って溜めると共に、凝集槽８の各槽８ａの漏斗状の壁の下側に溜めることができるように、側壁１２ａ及び凝集槽８の下側に延びた底部１２ｂとを有している。
（上澄み導入管路１３）
【００３４】
上澄み導入管路１３は、凝集槽８の側壁の深さの異なる複数個所毎に設けた導管１３ａと、各導管１３ａと上澄み貯留槽１２とを接続する導管１３ｂとからなり、上澄み導入管路遮断部１４は、導管１３ａに夫々設けたバルブ１４ａからなる。
（濾過フィルター装置１５）
【００３５】
濾過フィルター装置１５は、直列に接続された３個の濾過フィルター１５ａからなり、３個の濾過フィルター１５ａの濾過精度は下流方向に順次高くしてある。濾過フィルター１５ａは、容器内の水の通路に例えば糸巻フィルターのようなフィルターを設けたものである。
（上澄み送給部１６）
【００３６】
上澄み送給部１６は、水中ポンプ１６ａと水中ポンプ１６ａの吐出口と濾過フィルター装置１５の最初の濾過フィルター１５ａとを接続する導管１６ｂとからなる。
（中和処理装置１７）
【００３７】
中和処理装置１７は、二次濾過水Ｗ４を溜めるタンク１７ａと、二次濾過水Ｗ４を濾過フィルター装置１５からタンク１７ａに導入する導管１７ｂと、アルカリ性になっている二次濾過水Ｗ４を環境基準に適合するよう水槽１７ａ中で中和する中和装置１８とからなる。中和装置１８は、炭酸ガスをボンベ１８ａから導管１８ｂを経て、水中ポンプ１８ｃの吐出側の導管１８ｄに供給し、導管１８ｄ内で二次濾過水Ｗ４と混合して噴出装置１８ｅから水槽内の二次濾過水Ｗ４中に噴出させるものであり、タンク１７ａ内に設けたｐＨセンサ１８ｆにより二次濾過水Ｗ４の液性を検出し、その検出値と予め設定した液性の目標値とを比較して得た動作信号に基づき、導管１８ｂに設けたバルブ１８ｈを操作することにより、二次濾過水Ｗ４の液性が設定値になるよう炭酸ガスの供給量を自動的に調節することができるようになっている。
（アスベスト含有表層部除去システムの動作）
【００３８】
次に、図２に示すフローチャートに基づいて、上述のように構成された構造物のアスベスト含有表層部除去システムの動作について説明する。このシステムにより構造物のアスベスト含有表層部を除去するには、予め水処理装置３の濾過槽５の内部に濾過材４を装着しておく。
（アスベスト等の剥離処理Ｓ１）
【００３９】
先ず、高圧水供給装置１と水処理装置３の減圧装置６を作動させ、構造物のアスベスト含有表層部を剥離装置２で覆うと共に剥離装置２から高圧水を噴射する。それによって構造物の表層部が剥離し、剥離したアスベストを含む塗膜やコンクリート粒やゴミ等からなる剥離物Ａが生ずる。なお剥離装置２は、水処理装置３の濾過槽５に濾過材４が装着されており、減圧装置６が作動中であれば随時に作動させることができる。
（濾過槽５による濾過処理Ｓ２）
【００４０】
噴射された高圧水は、その後、圧力を失って略大気圧の水に戻る。そしてその水と剥離物Ａとが剥離装置２内で混ざることで混濁水Ｗ１となる。その混濁水Ｗ１は、濾過槽５の内部が減圧装置６により負圧になっているので、回収用管路７を通じて濾過槽５の内部へ吸引され、濾過材４の内側に導入される。
【００４１】
濾過材４の内側に導入された混濁水Ｗ１は、濾過材４によって濾過され、混濁水Ｗ１中の、濾過材４のメッシュより大きい剥離物Ａは濾過材４の内側に残り、それより小さな剥離物Ａは水と共に濾過材４を通過して一次濾過水Ｗ２となり、濾過槽５の底部に溜まる。
【００４２】
一次濾過水Ｗ２が濾過槽５に所定の高さまで溜まると、一次濾過水送給部９によって一次濾過水Ｗ２を濾過槽５から凝集槽８へ送給する。
（凝集槽８による凝集処理Ｓ３）
【００４３】
凝集槽８は一次濾過水を溜めるための槽８ａを複数有しているので、予め一次濾過水送給部９が一次濾過水Ｗ２を送給する凝集槽８の槽８ａを決めておく。つまり凝集槽８の複数の槽８ａのうち凝集中でない槽８ａを選んで、その槽８ａに対応するバルブ９ｅのみを開いておく。そして一次濾過水送給部９により送給された一次濾過水Ｗ２で槽８ａが満杯になると、その槽８ａへの一次濾過水Ｗ２の送給を停止する。
【００４４】
凝集槽８の槽８ａが満杯になると、その槽８ａに凝集剤を投入して一次濾過水Ｗ２中の微細な剥離物Ａを凝集させる。なお、凝集槽８への凝集剤の投入は手作業で行ってもよいし、公知の投入装置を用いて行うようにしてもよい。凝集剤投入後、所要の時間が経過すると、凝集した剥離物Ａが沈降し、凝集槽８の槽８ａの下部に溜まる。そして槽８ａの上部には一次濾過水Ｗ２の上澄みＷ３が残る。
【００４５】
また、一次濾過水Ｗ２で一つの槽８ａが満杯になると、一次濾過水送給部９による一次濾過水Ｗ２の送給先を、凝集槽８が有している複数の槽８ａのうちの、満杯でなく、かつ凝集中でない別の槽８ａに変える。したがって、凝集槽８において一次濾過水Ｗ２を凝集しながら、凝集槽８への一次濾過水Ｗ２の供給を継続することができる。一次濾過水送給部９により一次濾過水Ｗ２を目的の槽８ａに送給するには、この実施例では、目的の槽８ａに対応する導管９ｄのバルブ９ｅのみを開く。
【００４６】
凝集槽８での剥離物Ａの凝集が終わると、上澄みＷ３を凝集槽８から上澄み貯留槽１２に移し、その後、凝集槽８に残っている剥離物Ａを除去する。
（上澄みＷ３の凝集槽８から上澄み貯留槽１２への導入処理Ｓ４）
【００４７】
上澄みＷ３を凝集槽８から上澄み貯留槽１２に移すには、上澄み導入管路遮断部１４を操作して、凝集槽８と上澄み貯留槽１２とが上澄み導入管路１３により上澄みＷ３の導通が可能になるようにする。
【００４８】
その際、凝集槽８の槽８ａの、剥離物Ａの凝集速度や沈降速度に関する性状に応じた深さとなる箇所と上澄み貯留槽１２とが上澄み導入管路１３によって導通するよう上澄み導入管路遮断部１４を操作する。つまり剥離物Ａの性状に応じた深さの箇所に対応するバルブ１４ａを開く。そうすると、上澄みＷ３が重力により凝集槽８の槽８ａから上澄み貯留槽１２へ上澄み導入管路１３を通じて流入し、上澄みＷ３は上澄み貯留槽１２に溜まる。
（濾過槽５及び凝集槽８による再度の濾過処理Ｓ５）
【００４９】
凝集槽８から剥離物Ａを除去するには、剥離物Ａを除去したい槽８ａの底部と濾過槽５とが帰還管路１０によって導通するように遮断部１１を操作する。このように遮断部１１を操作するには、剥離物Ａを除去したい槽８ａに対応するバルブ１１ａを開く。そうすると、濾過槽５は負圧になっているので、凝集して凝集槽８の槽８ａの底部に溜まった剥離物Ａは、一次濾過水Ｗ２と共に帰還管路１０を通じて濾過槽５に吸引され、濾過槽５の内部に収容した濾過材４の内側に搬送され、再び濾過材４によって濾過される。そして帰還管路１０を経て濾過槽５へ帰還した剥離物Ａの多くは、凝集槽８で凝集して微細な粒から大きい粒になっているため、濾過材４を通過できず濾過材４の内側に溜まる。そして帰還した剥離物Ａのうち濾過材４を通過したものは、再び一次濾過水Ｗ２となり濾過槽５の底部に貯まる。このとき、凝集された剥離物Ａは、濾過材４の内側に溜まることで濾過材４の網目を小さくする働きをするため、濾過材４の網目が比較的大きくても、その網目より小さい剥離物Ａを漉し取ることができるようになる。したがって、網目の細かい濾過材４を用いなくても一次濾過水Ｗ２に含まれる剥離物Ａが比較的短時間で一層小さい粒になるので都合がよい。
（濾過フィルター装置１５による上澄みＷ３の濾過処理Ｓ６）
【００５０】
凝集槽８から上澄み貯留槽１２に上澄みＷ３が移されると、その上澄みＷ３を上澄み送給部１６により上澄み貯留槽１２から濾過フィルター装置１５に供給する。この供給された上澄みＷ３は濾過フィルター装置１５を通過する際に濾過されて二次濾過水Ｗ４となる。濾過フィルター装置１５はアスベスト繊維より十分小さなメッシュの濾過フィルターを用いており、上澄みＷ３にアスベストが含まれていたとしても、そのアスベストを漉し取ることができるので、濾過フィルター装置１５を通過した二次濾過水Ｗ４中にはアスベストは含まれていない。
（二次濾過水Ｗ４の中和処理Ｓ７）
【００５１】
二次濾過水Ｗ４は、更に、上澄み送給部１６から受ける圧力により濾過フィルター装置１５から中和処理装置１７のタンク１７ａに供給される。タンク１７ａに二次濾過水Ｗ４が溜まると、中和装置１８により環境基準に適合するように中和する。中和された水Ｗはタンク１７ａから導管１７ｃを経て自然環境に排出される。
（濾過材４の交換処理Ｓ８）
【００５２】
濾過材４の内側に溜まる剥離物Ａが所定量に達すると、その濾過材４を剥離物Ａと共に濾過槽５から搬出し、代わりに新しい濾過材４を濾過槽５の内部に装着する。
【００５３】
濾過材４の濾過槽５への搬入搬出時には、剥離装置２による高圧水の噴射を停止すると共に、減圧装置６による吸引も停止した後、濾過槽５の開閉蓋５ｃを開き、濾過材４を剥離物Ａと共に開口５ｂを経て濾過槽５から搬出し、代わりに新たな濾過材４を濾過槽５内の支持部５ａ上に装着する。
（他の実施例）
【００５４】
図３及び図４は本発明の他の実施例を示す。図３に示すように構造物のアスベスト含有表層部除去システムは、３つの剥離装置２を備えている。図３の最も右側の剥離装置２は、鉄砲形をしており、高圧水を先端から噴射することができる。また先端部に覆い２ａを備えている。高圧水供給部１は、導管１ｅ毎に安全装置１ｄを備えている。濾過槽５の蓋５ｃには回収用管路７毎に開閉用のバルブ７ｃが直接取り付けてあり、そのバルブ７ｃにホース７ａが接続されている。また蓋５ｃには帰還管路１０の開閉用バルブ１０ｄが直接取り付けてあり、このバルブ１０ｄには導管１０ｃが接続されている。また濾過槽５の側壁には一次濾過水供給部９の管路開閉用のバルブ９ｆが取り付けてある。バルブ９ｆを閉じることにより、ダイアフラム式ポンプ９ａや導管９ｂを濾過槽５から取り外したとき、一次濾過水Ｗ２を漏れないようにすることができる。更に濾過槽５には減圧装置６への導管６ａを開閉することができるように、バルブ６ｂが取り付けてある。濾過槽５の内側上部にはフック５ｄが設けてあり、濾過材４として合成繊維濾過袋を用いており、この濾過袋に設けた吊帯４ａをフック５ｄに掛けることにより、濾過材４を濾過槽５内に保持することができる。したがって濾過槽５は図１に示す実施例のような支持部を有していない。
【００５５】
図４において、上澄み貯留槽１２は、凝集槽８の側面８ｂと底面８ｃに沿って設けてあり、凝集槽８の底面８ｃと自身の底面１２ｂとの間に大量の上澄みＷ３を溜めることができるようになっている。帰還管路１０は、剥離物Ａを、底面８ｃから取り出すための導管１０ａだけでなく、ホッパーの途中から取り出すための導管１０ａを備えている。また一次濾過水供給部９は切替弁９ｇを備え、この切替弁９ｇにより凝集槽８の二つの槽８ａへの一次濾過水Ｗ２の供給先を切り替えることができるようになっている。図３における導管９ｃ、１０ｃは図４における導管９ｃ、１０ｃに接続されている。
【００５６】
なお、本発明は前述した実施の形態のみに限定されるものではなく、本発明の要旨を逸脱しない範囲において種々の変更が可能であることは勿論である。例えば、必要に応じて、図１に示す実施例における帰還管路１０の遮断部１１や上澄み導入管路遮断部１４を個別のバルブ１１ａ、１４ａの代わりに切替弁等を用いて構成してもよい。またバルブ９ｅ、１１ａ、１４ａ、前記切替弁を遠隔操作可能なものに変えてもよい。また図１の実施例では凝集槽８の槽８ａを二つしか示していないが、凝集槽８は槽８ａを一つ又は三つ以上有するものでもよい。また一次濾過水送給部９は、濾過槽５内の一次濾過水Ｗ２の水位に応じてポンプ９ａが自動的に作動し、また凝集槽８の槽８ａが一次濾過水で満杯になると自動的に停止するようにしたものでもよいし、ポンプ９ａを作業者が随時起動、停止するようにしたものでもよい。また上澄み送給部１６も、上澄み貯留槽１２内の上澄みＷ３の水位に応じて自動的に水中ポンプ１６ａが作動するようにしたものでもよいし、水中ポンプ１６ａを作業者が随時起動、停止させるようにしたものでもよい。また凝集槽８で一次濾過水Ｗ２中の剥離物Ａの凝集沈殿がある程度進んだ時点、或いは上澄みＷ３の上澄み貯留槽１２への導入と並行して、遮断部１１の操作により帰還管路１０を導通させるようにすることもあり得る。
【産業上の利用可能性】
【００５７】
本発明のアスベスト含有表層部除去システムは、例えばコンクリート製の構造物からアスベストを含有した塗膜を除去する用途に適用できる。
【符号の説明】
【００５８】
Ａ…剥離物
Ｗ１…混濁水
Ｗ２…一次濾過水
Ｗ３…一次濾過水の上澄み
Ｗ４…二次濾過水
Ｗ…処理水
１…高圧水供給部
１ａ…水源
１ｂ…ポンプ
１ｃ…導管
１ｄ…安全装置
１ｅ…導管
２…剥離装置
２ａ…覆い
３…水処理装置
４…濾過材
５…濾過槽
５ａ…支持部
５ｂ…開口
５ｃ…開閉蓋
６…減圧装置
６ａ…導管
７…回収用管路
７ａ…ホース
７ｂ…導管
７ｃ…バルブ
８…凝集槽
８ａ…槽
９…一次濾過水送給部
９ａ…ポンプ
９ｂ…導管
９ｃ…導管
９ｄ…導管
９ｅ…バルブ
１０…帰還管路
１０ａ…導管
１０ｂ…導管
１０ｃ…導管
１１…遮断部
１１ａ…バルブ
１２…上澄み貯留槽
１３…上澄み導入管路
１３ａ…導管
１３ｂ…導管
１４…上澄み導入管路遮断部
１４ａ…バルブ
１５…濾過フィルター装置
１６…上澄み送給部
１６ａ…水中ポンプ
１６ｂ…導管
１７…中和処理装置
１７ａ…タンク
１７ｂ…導管
１７ｃ…導管
１８…中和装置
１８ａ…ボンベ
１８ｂ…導管
１８ｃ…水中ポンプ
１８ｄ…導管
１８ｅ…噴出装置
１８ｆ…ｐＨセンサ
１８ｇ…制御装置
【図１】
2019171306.tif 000003
【図２】
2019171306.tif 000004
【図３】
2019171306.tif 000005
【図４】
2019171306.tif 000006
【手続補正書】
【提出日】令和1年5月28日(2019.5.28)
【手続補正１】
【補正対象書類名】特許請求の範囲
【補正対象項目名】請求項１
【補正方法】変更
【補正の内容】
【請求項１】
高圧水供給装置より供給される高圧水を剥離装置から構造物のアスベスト含有表層部に噴射することにより該アスベスト含有表層部を前記構造物から剥離し、その剥離物と前記噴射された水とからなる混濁水を前記剥離装置から水処理装置へ引き取って濾過すると共に中和して排出する、構造物のアスベスト含有表層部除去システムにおいて、
前記水処理装置は、
前記混濁水を濾過するための、上側が開口した袋に形成されている濾過材を搬出可能に収容する濾過槽と、
前記濾過槽の内部を負圧にする減圧装置と、
前記混濁水を前記剥離装置から、前記濾過槽に収容した前記濾過材の内側へ導く回収用管路と、
前記濾過材から滲出した一次濾過水を溜めると共に該一次濾過水に含まれる前記剥離物を凝集させるための凝集槽と、
前記一次濾過水を前記濾過槽から凝集槽へ送給する一次濾過水送給部と、
前記凝集槽の底部に沈殿した前記剥離物を前記一次濾過水と一緒に前記濾過槽に収容した前記濾過材の内側へ導く帰還管路と、
前記帰還管路を遮断することができる遮断部と、
を備えることを特徴とする構造物のアスベスト含有表層部除去システム。
【手続補正２】
【補正対象書類名】明細書
【補正対象項目名】０００９
【補正方法】変更
【補正の内容】
【０００９】
本発明の第１の側面に係るシステムによれば、高圧水供給装置より供給される高圧水を剥離装置から構造物のアスベスト含有表層部に噴射することにより該アスベスト含有表層部を前記構造物から剥離し、その剥離物と前記噴射された水とからなる混濁水を前記剥離装置から水処理装置へ引き取って濾過すると共に中和して排出する、構造物のアスベスト含有表層部除去システムにおいて、前記水処理装置は、前記混濁水を濾過するための、上側が開口した袋に形成されている濾過材を搬出可能に収容する濾過槽と、前記濾過槽の内部を負圧にする減圧装置と、前記混濁水を前記剥離装置から、前記濾過槽に収容した前記濾過材の内側へ導く回収用管路と、前記濾過材から滲出した一次濾過水を溜めると共に該一次濾過水に含まれる前記剥離物を凝集させるための凝集槽と、前記一次濾過水を前記濾過槽から凝集槽へ送給する一次濾過水送給部と、前記凝集槽の底部に沈殿した前記剥離物を前記一次濾過水と一緒に前記濾過槽に収容した前記濾過材の内側へ導く帰還管路と、前記帰還管路を遮断することができる遮断部と、を備えるように構成することができる。